(57)【要約】【課題】水の抵抗板が容易に交換できるようにしたルアーを提供することである。【解決手段】ルアー１は、合成樹脂等から成る中空のルアー本体２を有し、その前方側に水の抵抗板５が設けられている。支持面３には回動可能にピン４が突設されており、抵抗板５に設けた挿通孔５ａをピン４に挿通して取り付けられている。抵抗板５はピン４の頭部４ａと支持面３で狭持されており、ピン４を回動して頭部４を挿通孔５ａに合致させて着脱することができる。【選択図】    図２
2011211936.tif 000002
【特許請求の範囲】
【請求項１】
ルアー本体に着脱可能な抵抗板を設けたルアーにおいて、前記ルアー本体に設けた抵抗板の支持面に釣り糸取り付け部を設けた頭部を有するピンを回動可能に支持し、前記ピンが挿通可能な孔を有する抵抗板を前記ピンに挿通して前記支持面で支持すると共に、前記ピンの回動で前記ピンの頭部と前記支持面で狭持可能としたことを特徴とするルアー。
【請求項２】
抵抗板の挿通孔は回動可能なピンの方向によってルアー本体の正面側から前記ピンの頭部が挿通可能状態および抜け止め状態とすることができる非円形に形成したことを特徴とする請求項１に記載のルアー。
【請求項３】
抵抗板は挿通孔の周辺に回動したピンの頭部が当たる肉盛り部を設けたことを特徴とする請求項１または２に記載のルアー。
【請求項４】
抵抗板と支持面に互いに係合する凹凸を設けたことを特徴とする請求項１乃至３の何れか１項に記載のルアー。
【発明の詳細な説明】
【技術分野】
【０００１】
本発明は、水の抵抗板が着脱できるルアーに関する。
【背景技術】
【０００２】
従来から釣りに使用するルアーは水の抵抗によって様々な動きをするようになっており、リップと呼ばれる水の抵抗板を備えたものが使用されている。
ルアーは、そのリップの大きさや形状によって泳ぎ方を変えることができるが、多くのルアーはリップがルアー本体に固定されており、１つのルアーで泳ぎ方を変えるためには釣り人の相当の熟練が必要であり、また、リップを曲げて泳ぎを変えることもできるが、ルアーが破損する虞があった。
さらに、ルアーにネジ止めでリップを着脱自在に装着し、形状の異なるリップに交換できるようにしたものが紹介されているが、取り外したネジが脱落する虞があり、寒さや暗い中で行うには作業が難しく煩わしかった。
【特許文献１】特開昭５８−７８５２８
【発明の概要】
【発明が解決しようとする課題】
【０００３】
解決しようとする問題点は、ネジ止めで水の抵抗板を着脱自在に装着し交換できるようにしたルアーはその交換作業が難しく、ネジが脱落する虞があること。
【０００４】
本発明の目的は前記欠点に鑑み、水の抵抗板が容易に交換できるようにしたルアーを提供することである。
【課題を解決するための手段】
【０００５】
本発明の請求項１は、ルアー本体に着脱可能な抵抗板を設けたルアーにおいて、前記ルアー本体に設けた抵抗板の支持面に釣り糸取り付け部を設けた頭部を有するピンを回動可能に支持し、前記ピンが挿通可能な孔を有する抵抗板を前記ピンに挿通して前記支持面で支持すると共に、前記ピンの回動で前記ピンの頭部と前記支持面で狭持可能としたことを要旨とするものである。
本発明の請求項２は、抵抗板の挿通孔は回動可能なピンの方向によってルアー本体の正面側から前記ピンの頭部が挿通可能状態および抜け止め状態とすることができる非円形に形成したことを要旨とするものである。
本発明の請求項３は、抵抗板は挿通孔の周辺に回動したピンの頭部が当たる肉盛り部を設けたことを要旨とするものである。
本発明の請求項４は、抵抗板と支持面に互いに係合する凹凸を設けたことを要旨とするものである。
【発明の効果】
【０００６】
本発明のルアーは、容易に水の抵抗板が着脱でき、不用意な抵抗板の脱落が防止できる。
【産業上の利用可能性】
【０００７】
本発明は、水の抵抗板を有するルアーに利用できる。
【図面の簡単な説明】
【０００８】
【図１】図１は、第１実施例でルアーの一部断面正面図である。
【図２】図２は、同、抵抗板を支持したルアーの拡大断面図である。
【図３】図３は、同、抵抗板を外したルアーの拡大正面図である。
【図４】図４は、同、抵抗板を取り付けたルアーの拡大正面図である。
【図５】図５は、第２実施例で抵抗板を支持したルアーの拡大断面図である。
【発明を実施するための最良の形態】
【０００９】
本願発明を図示の実施例によって説明すると、図１から図４は本願の第１実施例で、図１はルアーの一部断面正面図、図２は抵抗板を支持したルアーの拡大断面図、図３は抵抗板を外したルアーの拡大正面図、図４は抵抗板を取り付けたルアーの拡大正面図である。
【００１０】
本願発明のルアー１は、図１、図２のように、合成樹脂等から成る中空のルアー本体２を有し、その前方側に水の抵抗板５が設けられている。
また、ルアー本体２の腹部と後端部にはリングを介して釣り針Ｔが揺動可能に取り付けられている。
【００１１】
ルアー本体２の前方側に設けた抵抗板５は、ルアー本体２の前方側に形成した支持面３にその裏面側が当接して支持されている。
この支持面３はルアー本体２の前方を向いた平面で、ルアー本体２の後方から前方にかけて下りとなる傾斜面で形成されている。
なお、この支持面３は、抵抗板５を支持できれば平面でなくてもよく、また、別体の支持体を取り付けて面の状態を変えることもできる。
【００１２】
この支持面３にはその前方に向かって突出するピン４を有している。
ピン４は先端に釣り糸を取り付ける孔４ｃを有する環状の頭部４ａを有し、この環状の頭部４ａは一般のルアーに使用されるヒートン形状のためピン４の軸部４ｅの外側にこの軸部４ｅと同じ径で形成された環状部分が突出している。
【００１３】
ピン４は、金属等で形成され、ルアー本体２の支持面３に埋め込んで取り付けた保持体６に軸部４ｅを中心軸にして回動可能に支持されている。
また、ピン４の軸部４ｅは保持体６の内部空間６ａに挿通され、内部空間６ａに形成された段部に当たる抜け止め突部４ｂを有して抜け止めされている。
【００１４】
水の抵抗板５は合成樹脂や金属で形成され、前方側に水の抵抗面が形成された板状体で、抵抗板５は中央側にその前後方向に貫通する挿通孔５ａが形成され、この挿通孔５ａにピン４を差し込んでその裏面を支持面３に当接させて取り付けられている。
【００１５】
水の抵抗板５の挿通孔５ａは、ピン４が正面から見た時の一文字形状にて通過できるように抵抗板５を正面から見たときに左右方向に長い長孔（非円形）で形成されている。
この挿通孔５ａは、ピン４の頭部４ａが通過し、ピン４を図２の矢印のように回動してその頭部４ａの向きが変わったときに通過不能になれば長孔以外の形状とすることができる。
【００１６】
抵抗板５は、さらにその抵抗面側の挿通孔５ａの周辺に肉盛り部５ｄを形成している。
この肉盛り部５ｄはその中央側になるにつれて高くなるようにドーム状に形成され、挿通孔５ａの長孔の長辺側に設けられ、短辺側には設けていない。
【００１７】
この抵抗板５をルアー本体２の支持面３に取り付けるためには、図３のようにピン４の頭部４ａを抵抗板５の挿通孔５ａの形状に合致する方向に向ける。
なお、第１実施形態では正面から見た頭部４ａが横長に成るように横方向（左右方向）にする。
【００１８】
抵抗板５を挿通孔５ａにピン４が差し込まれるようにして支持面３に取り付け抵抗板５の方向を合わせる。
次に、図４のように、ピン４の頭部４ａを指で摘んで軸部４ｅを中心に回動して頭部４ａが挿通孔５ａを横切る縦方向（上下方向）にする。
この時、頭部４ａの後端側（下端側）が抵抗板５の肉盛り部５ｄに乗り上げて抵抗板５を支持面３に向けて押圧し、抵抗板５を頭部４ａの後端側（下端側）と支持面３で狭持してルアー本体２に保持することができる。
また、抵抗板５を取り外すときは、ピン４を反対に回動して頭部４ａを横向きにして取り外すことができる。
【００１９】
このため、ピン４が脱落することなく、容易に抵抗板５を取り外して交換することができる。
したがって、抵抗板５を抵抗面の大きさ、重量、抵抗面の角度当が異なる複数の水の抵抗板を用意することでルアー１に様々な泳ぎをさせることができる。
【００２０】
図５は、第２実施例で抵抗板を支持したルアーの拡大断面図である。
【００２１】
この実施例では、支持面３に凹部３ａを設け、抵抗板５の裏面に突部５ｂが形成されて互いにその凹凸で係合するようになっている。
抵抗板５の挿通孔５ａにピン４を差し込んでその裏面を支持面３に当てると支持面３に凹部３ａに抵抗板５の裏面に突部５ｂ突部５ｂを設けたので容易に係合することができる。
これら支持面３に凹部３ａと抵抗板５の突部５ｂが係合すると、確実に抵抗板５が回り止めされて、位置決めができる。
【００２２】
このように、第２実施例においても第１実施例と同様の作用効果が得られることとなる。
なお、その他の構成は第１実施例と同じである。
【符号の説明】
【００２３】
１    ルアー
２    ルアー本体
３    支持面
４    ピン
５    抵抗板
６    保持体
【図１】
2011211936.tif 000003
【図２】
2011211936.tif 000004
【図３】
2011211936.tif 000005
【図４】
2011211936.tif 000006
【図５】
2011211936.tif 000007